(57)【要約】【課題】  機械的ムーブメントを備えた計時器の自己識別情報を検査するデバイスを提供する。【解決手段】  機械的ムーブメント（１）は、受動的インジケーター要素（２）である検査用デバイスを有する。この受動的要素（２）は、機械的ムーブメントの固定支持部（３）に固定される。受動的要素は、規制メンバー（４）の固定支持部に固定された材料片（２）ないし板体にすることができ、機械的ムーブメントの振動の後に一又は複数の明確に定められる振動周波数成分で振動するように構成する。材料片ないし板体の振動周波数成分は、計時器に固有な音響的シグネチャーを定め、これによって、音響測定システムを用いて音響的シグネチャーを測定することによって計時器の真正性を判断することができる。【選択図】図１
2015017979.tif 000002
【特許請求の範囲】
【請求項１】
少なくとも１つの受動的インジケーター要素（２）を備える機械的ムーブメント（１）を有し、且つ前記受動的インジケーター要素（２）は、前記機械的ムーブメントの振動の後に一又は複数の明確に定められる振動周波数成分で振動するように構成した計時器において、
エスケープホイールセットにおける衝撃をもたらすように前記機械的ムーブメントを動作することを開始するステップと、
前記計時器に特有の音響的シグネチャーを定めるように、前記機械的ムーブメントの振動を介して前記受動的インジケーター要素の振動を発生させるステップと、
前記受動的インジケーター要素の振動周波数の音響測定によって前記計時器の識別コードを検査するステップと
を備えることを特徴とする前記計時器の固有音響的識別コードの割り付け及び検査をする方法。
【請求項２】
前記計時器の識別コードの検査は、移動体電話によって行うことができる
ことを特徴とする請求項１に記載の方法。
【請求項３】
前記計時器のケースを閉じる前に、前記受動的インジケーター要素（２）を前記機械的ムーブメントの固定支持部（３）に固定するステップと、
前記受動的インジケーター要素（２）の振動周波数の音響測定によって、前記識別コードを初期決定するステップと、
前記機械的ムーブメントのシリアル番号において前記識別コードを割り付け、データベース及び前記計時器に関連づけられた商品証明に、前記識別コードを前記シリアル番号とともに記憶するステップと、
前記機械的ムーブメント及び前記受動的インジケーター要素の振動発生の動作を開始した後、前記受動的インジケーター要素の振動周波数の音響測定によって前記計時器の識別コードを検査し、前記識別コードを前記計時器に当初割り付けられたコードと比較するステップと
を備えることを特徴とする請求項１に記載の方法。
【請求項４】
請求項１に記載の計時器の固有音響的識別コードの割り付け及び検査をする方法を実装するための受動的インジケーター要素（２）が設けられた機械的ムーブメント（１）であって、
前記受動的インジケーター要素は、機械的ムーブメントの固定支持部（３）に固定される
ことを特徴とする機械的ムーブメント。
【請求項５】
前記受動的インジケーター要素は、材料片ないしブレード（２）又は板体である
ことを特徴とする請求項４に記載の機械的ムーブメント（１）。
【請求項６】
前記受動的インジケーター要素は、長方形断面を有する材料片ないしブレード（２）である
ことを特徴とする請求項４に記載の機械的ムーブメント（１）。
【請求項７】
前記受動的インジケーター要素は、楕円形の断面図を有する材料片ないしブレード（２）である
ことを特徴とする請求項４に記載の機械的ムーブメント（１）。
【請求項８】
前記受動的インジケーター要素は、直線状の材料片ないしブレード（２）であり、その一端は、当該機械的ムーブメントの前記固定支持部（３）に固定され、その他端は、自由に動く
ことを特徴とする請求項４に記載の機械的ムーブメント（１）。
【請求項９】
前記受動的インジケーター要素は、直線状の材料片ないしブレード（２）であり、その両端は、当該機械的ムーブメントの前記固定支持部（３）に固定される
ことを特徴とする請求項４に記載の機械的ムーブメント（１）。
【請求項１０】
前記受動的インジケーター要素は、曲がった材料片ないしブレード（２）であり、その一端は、当該機械的ムーブメントの前記固定支持部（３）に固定され、その他端は、自由に動く
ことを特徴とする請求項４に記載の機械的ムーブメント（１）。
【請求項１１】
前記受動的インジケーター要素は、曲がった材料片ないしブレード（２）であり、その両端は当該機械的ムーブメントの前記固定支持部（３）に固定される
ことを特徴とする請求項４に記載の機械的ムーブメント（１）。
【請求項１２】
前記受動的インジケーター要素（２）は、当該機械的ムーブメントの規制メンバー（４）の前記固定支持部（３）に固定される
ことを特徴とする請求項４に記載の機械的ムーブメント（１）。
【請求項１３】
前記受動的インジケーター要素（２）は、当該機械的ムーブメントの前記固定支持部を形成するバランスコックないし棒体（３）に固定される
ことを特徴とする請求項１２に記載の機械的ムーブメント（１）。
【請求項１４】
前記受動的インジケーター要素（２）は、金属性材料で作られており、前記バランスコックないし棒体（３）に溶接ないしハンダ付けされる
ことを特徴とする請求項１３に記載の機械的ムーブメント（１）。
【請求項１５】
前記受動的インジケーター要素（２）は、金属性材料で作られており、
前記受動的インジケーター要素（２）は、前記バランスコックないし棒体（３）と一体的であり、一又は複数の明確に定められる振動周波数を定めるように機械加工される
ことを特徴とする請求項１３に記載の機械的ムーブメント（１）。
【請求項１６】
前記受動的インジケーター要素（２）は、前記規制メンバーのバネ仕掛けバランスのホイール（５）によって定められる平面に平行に構成する材料片ないしブレードである
ことを特徴とする請求項１２に記載の機械的ムーブメント（１）。
【請求項１７】
前記材料片ないしブレードは、前記バネ仕掛けバランス（５）の回転軸（７）を中心にする円の一部を定める
ことを特徴とする請求項１６に記載の機械的ムーブメント（１）。
【請求項１８】
前記受動的インジケーター要素（２）は、金属、少なくとも２つの金属の合金、又はアモルファス金属又は金属性ガラスから作られる
ことを特徴とする請求項４に記載の機械的ムーブメント（１）。
【請求項１９】
前記受動的インジケーター要素（２）は、鋼で作られる
ことを特徴とする請求項１８に記載の機械的ムーブメント（１）。
【請求項２０】
前記受動的インジケーター要素（２）は、貴金属で作られる
ことを特徴とする請求項１８に記載の機械的ムーブメント（１）。
【請求項２１】
当該機械的ムーブメントは、２つの受動的インジケーター要素を有し、その第１の受動的インジケーター要素は、当該機械的ムーブメントの第１の規制メンバーの固定支持部に固定され、その第２の受動的インジケーター要素は、当該機械的ムーブメントの第２の規制メンバーの固定支持部に固定される
ことを特徴とする請求項４に記載の機械的ムーブメント（１）。
【請求項２２】
前記第１及び第２の受動的インジケーター要素は、前記計時器の固有な音響的シグネチャーを定めるように、異なる振動周波数成分を有するようにお互い異なるように構成される
ことを特徴とする請求項２１に記載の機械的ムーブメント（１）。
【請求項２３】
前記受動的インジケーター要素（２）は、セラミックで作られる
ことを特徴とする請求項４に記載の機械的ムーブメント（１）。
【請求項２４】
前記受動的インジケーター要素（２）は、透磁率１．０１未満の一又は複数の常磁性材料で作られる
ことを特徴とする請求項４に記載の機械的ムーブメント（１）。
【請求項２５】
前記受動的インジケーター要素（２）は、一又は複数の磁気歪み材料で作られる
ことを特徴とする請求項４に記載の機械的ムーブメント（１）。
【請求項２６】
前記受動的インジケーター要素（２）は、温度依存性が低い材料で作られる
ことを特徴とする請求項４に記載の機械的ムーブメント（１）。
【請求項２７】
前記受動的インジケーター要素（２）は、温度に対して自動補正する材料で作られる
ことを特徴とする請求項２６に記載の機械的ムーブメント（１）。
【発明の詳細な説明】
【技術分野】
【０００１】
本発明は、機械的ムーブメントを有する計時器の固有音響的識別コードの割り付け及び検査の方法に関する。これを達成するために、機械的ムーブメントは少なくとも１つの受動的インジケーター要素を有し、これは、機械的ムーブメントの振動の後に一又は複数の明確に定められる振動周波数成分で振動するように構成する。このような計時器ないし腕時計の固有音響的識別コードの割り付け及び検査をする方法の結果、腕時計のあらゆる偽造も識別することが可能である。
【０００２】
本発明は、さらに、このような計時器の固有音響的識別コードの割り付け及び検査をする方法を実装する受動的インジケーター要素を備える機械的ムーブメントに関する。
【背景技術】
【０００３】
機械的腕時計のような計時器の場合には、音響的シグネチャー（署名）又は音響的ホールマーク（内容証明）は、エスケープによって発生するノイズを調べることを伴う。この種の測定を行うためには、ケースに入れられた腕時計を、常に同一であるフィッティングスタンドに置き、発せられた音を時間にわたってエアリアルマイクロホンないしコンタクトマイクロホンによって記録する。その後、その時間にわたった信号が、衝撃や摩擦の発生を検出するために分析される。これらの測定は、機械的ムーブメントのクロノメーター的な性能を検査し、動作上の欠陥を識別するために行われる。この種の測定を自動的に行う商用デバイスがある。例えば、Witschi Electronic AGによって製造されているものである。
【０００４】
出願人の知る限りにおいて、これらの測定は、何らかの計時器の偽造を検出するように構成されてはおらず、また、そのような用途のために利用されていない。この理由は、上記分析は、概して、発生したノイズの特定周波数成分を考慮しないからである。また、機械的腕時計のムーブメントによって発生したノイズを測定する様々なシステムに依存するが、完全に同一の設計である異なる複数の機械的ムーブメントに対して、繰り返されるふるまいパターンを抽出するのは難しい。なお、腕時計のケースから同じ機械的ムーブメントを取り除いたり、これを再びケースに入れることによって、ピーク衝撃レベルのような特定の特徴が変わりがちである。コンタクトマイクロホンないしエアリアルマイクロホンの位置も、基本的な音響的シグネチャーのインジケータの強いばらつきの原因であることがある。これは、固有な内径又は固有な部品として正確に識別して、テストされた腕時計をそれぞれ区別することが可能ではないことを意味する。
【発明の概要】
【発明が解決しようとする課題】
【０００５】
このように、本発明の目的の１つは、機械的ムーブメントを備えた計時器の自己識別情報（アイデンティティー）を検査するデバイスを提供することによって、最先端技術の欠点を克服することである。このデバイスは、当該機械的ムーブメントによって発生したノイズを測定する時間及び周波数の測定システムによって、計時器の真正性を検出することができる。この受動的なインジケータデバイスは、ムーブメントの動作に影響しない。
【課題を解決するための手段】
【０００６】
この目的のために、本発明は、計時器の固有音響的識別コードの割り付け及び検査をする方法に関し、独立請求項１にて定義される特徴を有する。
【０００７】
本方法の特定のステップが、従属請求項２及び３にて定義される。
【０００８】
上記目的のために、本発明は、さらに、このような計時器の固有音響的識別コードの割り付け及び検査をする方法を実装する受動的インジケーター要素を備える機械的ムーブメントに関し、これは、独立請求項４で特定される特徴を有する。
【０００９】
機械的ムーブメントのいくつかの実施形態が、従属請求項５〜２７にて定義される。
【００１０】
このような機械的ムーブメントの利点は、機械的な計時器のムーブメントの一部分に固定された受動的インジケーター要素に起因して、振動パラメーターを特徴づけるのが容易であることである。これは、とりわけ受動的インジケーター要素の振動の後の周波数及び減衰特性である。このように、計時器の最終検査が配送の前に行われる場合、特定の計時器にこれらの固有な振動パラメーターを関連づけることが可能である。このようにして、あらゆる偽造を防ぐために、識別可能な振動を行う計時器の受動的インジケーター要素の真正性を確認することができる。すなわち、計時器を厳密に識別することができる。偽造者は偽造を行う際に、計時器のシリアル番号とその音響的シグネチャーの間の相関関係を得るために、各腕時計に、又は工場内部のデータベースに、物理的にアクセスしなければならない。しかし、仮にこの知識を得た場合であっても、周波数が大きく４桁にもなる３〜４のモードを有する振動素子を作るのは非常に困難ないし不可能である。
【００１１】
計時器に特有の振動素子を使用することによって、周波数が明確に離れているいくつかの振動モードを測定することが可能である。したがって、非常に多くの計時器のために固有かつ個別な音響的シグネチャーを有することが単純となる。例えば、製造元へと自分の計時器の音響的記録を送ることによって、いずれの利用者も計時器の自己識別情報ないし真正性を検査することができる。この音響的記録によって、計時器の識別番号との相関を検証することができる音響的シグネチャーを分析することが可能になる。製造業者のウェブサイトへ接続することによって自動的な検査を利用者が行うことを可能にするために、移動体電話を利用することもできる。
【００１２】
受動的振動インジケーター要素は、機械的ムーブメントに付加される材料片ないしブレードとすることができ、これによって、当該材料片の振動周波数に基づいて音響的シグネチャーを定めることができる。この材料片は、例えば、規制メンバーのバランスコックないし棒体に、固定されていてもよい。この規制メンバーは、エスケープとすることができる。一又は複数の材料片が、計時器の性能に影響しないような、機械的ムーブメントに対する位置に配置される。
【００１３】
有利なことに、２つの材料片を設けることができ、その各材料片は、２つのツールビロンの固定構造に固定され、そのツールビロンは計時器に内蔵させることができる。対応するツールビロンに固定された材料片はそれぞれ、マイクロホン測定システムによって行われる振動周波数分析の関数として、固有な音響的シグネチャーを定めることができる。
【００１４】
このような計時器の固有音響的識別コードの割り付け及び検査をする方法、及びこの方法を実装する機械的ムーブメントの目的、効果及び特徴は、図面を参照して以下の説明を読むことによって明確になるであろう。
【図面の簡単な説明】
【００１５】
【図１】本発明に係る計時器を検査するための受動的インジケーター要素を備えた機械的ムーブメントの一実施形態についての三次元的な図を示す。
【図２ａ】機械的ムーブメントによって生成される音響信号（絶対音圧）の時間グラフを示しており、標準的なエスケープのものである。
【図２ｂ】機械的ムーブメントによって生成される音響信号（絶対音圧）の時間グラフを示しており、本発明に係る専用の振動する材料片のような検査用デバイスが取り付けられたエスケープのものである。
【図３】機械的ムーブメントによって発生するノイズと比べた計時器の音響的シグネチャーに対する本発明に係る受動的インジケーター要素による効果を示す周波数グラフを示す。
【発明を実施するための形態】
【００１６】
以下の記載では、受動的インジケーター要素の形態で検査用デバイスが配置される機械的腕時計のムーブメントの部分のすべてについて、簡潔にのみ説明する。以下の記載は、計時器の固有音響的識別コードの割り付け及び検査をする方法を実装するための、検査用デバイスのタイプ、形、及び機械的ムーブメント内の位置に主として言及する。
【００１７】
なお、「腕時計の真正性」は、各腕時計の個別なアイデンティティーを意味する。計時器ないし腕時計はそれぞれ、偽造を防ぐために、識別番号ないし固有なコードによって識別可能とすることができる。
【００１８】
図１は、腕時計のような計時器の機械的ムーブメント１についての部分的な三次元的な図を示す。主要な板体６上で回転自在にマウントされたバネ仕掛けバランス５を備えた機械的ムーブメントの規制メンバー４が主として示されている。この規制メンバー４は、エスケープの一部とすることができる。バネ仕掛けバランス５は、板体６とバランスコックないし棒体３との間に回転自在に保持された軸方向ピン７を中心に交互方向に回転する。
【００１９】
計時器の自己識別情報を真正性確認又は検査するための検査用デバイスは、機械的な計時器のムーブメントの固定支持部に固定された受動的インジケーター要素２を有することができる。この受動的インジケーター要素は、機械的ムーブメントに衝撃が与えられた後に一又は複数の厳密に定められた振動周波数成分で振動するように構成する。インジケーター要素の振動の振幅は、固定支持部の振動の振幅よりも少なくとも１０倍大きい。これらの周波数成分が８００Ｈｚと２０，０００Ｈｚの間の可聴周波数帯域内にあるため、及び基本周波数（最低で、かつ、最もアクティブなもの）がエスケープホイールの衝撃のノイズ周波数範囲の外にあるため、前記の測定方式のコンタクトマイクロホンないしエアリアルマイクロホンを使用して、受動的な振動素子によって生成された音響ノイズを拾い上げることが可能である。基本周波数は、好ましくは、８００Ｈｚと４，０００Ｈｚの間にある。これらの受動的な振動素子２の振動周波数成分によって、機械的腕時計のような計時器を正確に識別することができる。
【００２０】
受動的インジケーター要素は、主として信号周波数成分に影響を与えるが、経時的な形にはほとんど影響を与えない。図２ａ及び２ｂにて、比較を示す。唯一の違いは、インジケータが存在すれば、信号の減衰特性がわずかに小さくなるということである。したがって、エスケープホイール衝撃を検出する能力は、インジケータの存在には影響受けず、これは、標準的な商用デバイスを用いて腕時計のクロノメトリーを確実に測定することができる。
【００２１】
受動的インジケーター要素２は、例えば、規制メンバー４又は機械的ムーブメントの伝達又はメンテナンスメンバーの一部に固定された材料片ないしブレード又は板体とすることができる。材料片ないしブレードは、長方形ないし楕円形の断面図を有することもできる。例えば、材料片２は、その一端において、バランスコックないし棒体３に固定され、一方、材料片の他端は自由に動く。この材料片を、バネ仕掛けバランス５の上に、かつ、バネ仕掛けバランスのホイールによって定められる平面に平行に、配置することができる。利用可能なスペースに応じて、ムーブメントの平面に垂直な方向に材料片を配置することもできる。材料片は、直線状にすることもでき、あるいは円の一部を描くように構成することもできる。この円の中心は、例えば、バネ仕掛けバランス５の回転軸７とすることができる。
【００２２】
この材料片は、バランスコックないし棒体に固定されているので、機械的腕時計のムーブメントの性能には影響を与えない。このように、材料片の振動は、機械的ムーブメントのケースに依存しない。材料片は、材料片の振動周波数を測定することによって精密に真正性を確認するために、計時器それぞれに対して個別に構成される。
【００２３】
受動的インジケーター要素を材料片ないし板体の形態で固定する様々な方法を想定することができる。上述のように、材料片は、直線状でも曲がっていてもよく、単純又は二重の埋め込み物（エンベッドメント）又はバランスコックないし棒体への埋め込み物支持体であってもよい。板体又はウェハーの形状の受動素子の場合には、板体は、長方形ないし略長方形であってもよく、４辺がバランスコックないし棒体に固定された単純、二重、三重又は完全な埋め込み物を有していてもよい。
【００２４】
受動的インジケーター要素２は、例えば、鋼のような金属材料によって作ることができる。この受動的インジケーター要素は、材料片の形態であり、例えば、バネ仕掛けバランスコック３又は棒体である、機械的ムーブメントの固定支持部に溶接又はハンダ付けすることができる。この要素の３つの寸法、例えば、幅、厚さ及び長さは、理論的には０．１ｍｍと５ｍｍの間、又は０．１ｍｍと１０ｍｍの間にあるべきである。好ましい一実施形態によれば、その基本周波数は１ｋＨｚと４ｋＨｚの間である。
【００２５】
受動的インジケーター要素は、さらに、単一片の部分を形成するようにコック３と一体にすることができ、固有な機械加工領域を与える。例えば、先端、中空部分、ミクロアーム等の領域である。受動的インジケーター要素の機械加工された部分は、腕時計がケースに配置される前に設けることができ、いずれの偽造も防ぐために、計時器を識別する固有な振動周波数の内容を定める。真正性を確認するために計時器に対して、固有なように構成された材料片の振動周波数は、周知であってもよく、例えば、４桁や５桁のような大きな桁の数の周波数によって定めることができる。
【００２６】
主として、バランス５と連係して、パレットレバー及びホイール（図示せず）を有する規制メンバー４は、動作中に振動を発生する。これらの振動は、板体を横断して、そして、バランスコックないし棒体３を横断して伝達され、受動的インジケーター要素を振動させる。バランスとパレットレバーの間、そして、パレットレバーとエスケープホイールの間の衝撃によって発生する音響ノイズは、すべての機械的腕時計のムーブメントで良く知られているチックタック音である。この受動的インジケーター要素２は、１００Ｈｚと２０ｋＨｚの間の可聴周波数帯域内で振動することができる。また、図１に示された受動的要素２の構成において、試験を行うことによって、耐衝撃性が５０００ｇまで保証されることが実証された。
【００２７】
なお、受動的要素は、さらに、腕時計のケース内に内蔵される、板体、又は振動することができるいずれの受動的システムであってもよい。好ましくは、この受動的要素は、金属、又は少なくとも２つの金属の合金、又はアモルファス金属又は金属性ガラスで作られる。このような振動する受動的な金属要素は、音響的な計時器の真正性確認又は識別シグネチャーを可能にし、これは、測定システムのコンタクトマイクロホンないしエアリアルマイクロホンによって拾い上げることができる。各計時器、特に各機械的腕時計のムーブメントは、生産された機械的ムーブメントそれぞれの異なる受動的要素の構成によって、固有に識別されることができる。
【００２８】
例えば、材料片の形態の受動的要素を作るために、他の異なる種類の材料も想定することができる。用いられる材料は、温度依存性が低くなければならず、温度に対して自動補正されることが好ましい。ヤング率と密度を変えることによって幾何学的な伸び−収縮を補う必要があり、また、自然的な酸化に対して耐久性がなければならない。しかし、これらの基準は排他的ではない。材料として、貴金属、セラミック、サファイア、石英又はシリコンを選ぶことができる。自動温度補償を可能にするために、２つの材料を用いることもでき、特に、酸化ケイ素又は２つの金属の層を有するシリコン材料を使用することができる。一又は複数の磁気歪み性材料を用いることによって、故障しているムーブメントの単純な磁化診断を可能にするという付加的な利点がある。受動的要素は、また、透磁率が１．０１未満の一又は複数の常磁性体で作られていてもよい。
【００２９】
例えば、図２ａにおける検査用デバイスなしの標準的なエスケープに対して、及び図２ｂの機械的ムーブメントによって発生するノイズによって振動するようにされた受動的な材料片のような、検査用デバイスが用意されたエスケープに対して、機械的ムーブメントによって発生する音響ノイズにおける相違を観察することができる。周波数成分、すなわち、音響シグネチャーパラメーターの１つは、コンタクトマイクロホンないしエアリアルマイクロホンを備える測定システムによって分析することができる。本発明の検査用デバイスの結果、同じ設計ムーブメントに対して、測定条件には依存せず、高い出現率及び高い信号対ノイズ比を有するふるまいを得ることができる。これは、最先端技術の機械的ムーブメントの話ではない。
【００３０】
例を示すことによって（これに限定されない）、図３には、機械的ムーブメントの固定部分に固定された固有に構成された材料片とともに、機械的ムーブメントの動作中に発生する音響ノイズの周波数グラフを示す。機械的ムーブメントによって発生する従来のノイズに比べて、計時器の音響的シグネチャーに対する本発明の検査用デバイスの効果を観測することができる。受動的な材料片が機械的ムーブメントの固定部分に固定された状態で、例えば、第１のストリップ振動モードは１３２３Ｈｚ、第２の振動モードは３５３４Ｈｚ、第３の振動モードは３７０１Ｈｚ、そして、第４の振動モードは６１７１Ｈｚで観測することができる。主として、振動する受動的な材料片によって発生するこれらの音響ノイズは、計時器の精密な真正性確認のための測定システムによって正確に測定することができる。
【００３１】
この方法のために、計時器の固有音響的識別コードの検査を移動体電話によって行うことができる。
【００３２】
このような計時器の識別コードを割り付け及び検査をする方法は、さらに、機械的ムーブメントの動作の前、及び受動的インジケーター要素の振動発生の前に、異なる複数のステップを有することができる。第一に、機械的ムーブメントを有する計時器のケースを閉じる前に機械的ムーブメントの固定支持部に受動的インジケーター要素が固定される。計時器の配送の前に、計時器の識別コードの初期決定を、受動的インジケーター要素の振動周波数の音響測定によって行うことができる。機械的ムーブメントのシリアル番号に対する識別コードの割り付けが行われ、識別コードがシリアル番号とともに、データベースと、及び計時器に関連づけられた商品証明（product certificate）とに記憶される。
【００３３】
計時器の配送の後であって、受動的インジケーター要素の機械的ムーブメント及び振動発生の動作を開始した後で、計時器の識別コードが検査される。この検査には、決められた識別コードを計時器に対して当初割り付けられたコードと比較しながら、受動的インジケーター要素の振動周波数の音響測定を行うことを伴う。
【００３４】
上記説明から、このような計時器の固有音響的識別コードの割り付け及び検査をする方法を実装するための検査用デバイスを備える機械的ムーブメントのいくつかの変形例を、請求の範囲によって定められる本発明の範囲から逸脱せずに当業者によって考えることができる。二重のツールビロンを備えた計時器の場合、すなわち、２つのエスケープを有する場合には、各エスケープに対して個別に構成された受動的材料片を各エスケープの固定部分に固定することができる。これによって、各受動的インジケーター要素の振動周波数の音響測定によって、計時器の識別コードを決定することが可能になる。２つのツールビロンの受動的材料片それぞれの固有振動モードは、計時器の真正性確認の精度を増加させるために異なるようにすることができる。この検査用デバイスを、任意の機械的又は電子的装置に内蔵することも想定することができる。この検査用デバイスは、これらの内蔵される装置の真正性を確認するために当該装置の部品によって振動される。受動的インジケーター要素は、機械的ムーブメントによってもたらされる一又は複数の振動モードに従って、可聴周波数帯域の外で振動することができる。
【図１】
2015017979.tif 000003
【図２ａ】
2015017979.tif 000004
【図２ｂ】
2015017979.tif 000005
【図３】
2015017979.tif 000006